(57)【特許請求の範囲】
【請求項１】
商品等の対象物に下げて使用するための下げ札であって、表裏両面に印字可能で、かつ、２つに折り畳んだ本体部と、この本体部を前記対象物に下げるために該本体部に設けた下げ部と、前記折り畳まれて対向位置する接触面に永久接着された透明のフィルムと、これらフィルムそれぞれの表面に形成された剥離可能で再接着不能な疑似接着層とからなり、前記フィルム及び疑似接着層を備えさせた一枚の長方形の紙をそれの長手方向中央部で折り曲げて２つに折り畳んで前記本体部を構成し、前記本体部の一端に貫通孔を形成すると共に、折り畳まれた一方側の貫通孔側一端を切断し、その切断部を挟んで貫通孔側部分を前記本体部と分離してなる下げ札。
【請求項２】
前記外面に耐摩耗性を有する樹脂層を形成してなる請求項１記載の下げ札。
【請求項３】
前記折り畳んで接着される本体部に所定間隔を置いて切り込みの複数を環状に形成し、前記接着を解除した後、隣り合う切り込みを連続させることにより該切り込みにより囲まれた内側部分を切り込みを挟んで外側に位置する外側部分から切り離し可能に構成してなる請求項１記載の下げ札。
【請求項４】
前記本体部の一部を切り離し可能な切り取り用ミシン目を該本体部に形成してなる請求項１記載の下げ札。
【請求項５】
前記下げ部が、前記貫通孔と、この貫通孔と対象物とを連結するための糸等の連結部材とからなる請求項１記載の下げ札。
【発明の詳細な説明】
【０００１】
【発明の属する技術分野】
本発明は、商品等の対象物に下げて使用するための下げ札に関する。
【０００２】
【従来の技術】
例えば保形性を有する１０ｃｍ×５ｃｍ程度の大きさの厚紙を一枚用意し、その厚紙の表裏両面に商品の品質、素材、サイズ等を印字することによって下げ札を構成し、その下げ札を商品に下げるようにしている。
購入者は、前記下げ札に印字されている内容を見て購入したい商品かどうかを確認した後、実際に商品を手に取って購入すべきであるかどうかを判断するようにしている。
【０００３】
【発明が解決しようとする課題】
しかしながら、前記下げ札が前述の寸法であるため、それの表裏両面に記入できる範囲には限界があるため、商品の品質、素材、サイズ等の必要最小限の在り来たりな情報しか記入することができない。そのため、下げ札がありふれた定型的なものになり、購入者に強いインパクトを与えるものになり得ることができない。つまり、商品の販売促進を図るための販促ツールとして利用することができないものであった。尚、販促ツールとして前記下げ札とは別のものを作製して商品に下げることが考えられるが、別のものを作製する手間や作製されたものを商品に下げるようにする手間を必要とするだけでなく、商品に多数のものを下げていると購入者はそれを一々見ることが非常に苦痛になり、逆に販売促進にはマイナスに作用してしまい、実際にはそのような別の販促ツールを用いることが難しいものであった。
【０００４】
そこで、本発明が前述の状況に鑑み、解決しようとするところは、販促ツールとしても十分使用することができる下げ札を提供する点にある。
【０００５】
【課題を解決するための手段】
本発明は、前述の課題解決のために、商品等の対象物に下げて使用するための下げ札であって、表裏両面に印字可能で、かつ、２つに折り畳んだ本体部と、この本体部を前記対象物に下げるために該本体部に設けた下げ部と、前記折り畳まれて対向位置する接触面に永久接着された透明のフィルムと、これらフィルムそれぞれの表面に形成された剥離可能で再接着不能な疑似接着層とからなり、前記フィルム及び疑似接着層を備えさせた一枚の長方形の紙をそれの長手方向中央部で折り曲げて２つに折り畳んで前記本体部を構成し、前記本体部の一端に貫通孔を形成すると共に、折り畳まれた一方側の貫通孔側一端を切断し、その切断部を挟んで貫通孔側部分を前記本体部と分離したことを特徴としている。
本願発明者は、下げ札を販促ツールとして利用できるようにするためには、例えば景品等が当たる当たりくじの他、割引券等を下げ札に一体化することを考えた。具体的には、それら当たりくじや割引券等を重要度の高い情報として折り畳まれて対向位置する接触面に印字することによって、購買意欲を高めることができる。つまり、折り畳むことによって、下げ札としての寸法を従来と同様に保持できるものでありながら、その折り畳まれた接触面を外部から見ることができないため、購入者は見たいという思いになり、購入者に引き付ける効果を与えることができる。そして、上記のように折り畳んで疑似接着することによって、折り畳んでいる本体部を剥がしてしまうと、再接着が不可能になるため、剥がしたことがわかるようになっている。又、疑似接着層は、剥がしてもべとつくようなことがない。又、販促ツールとして重要度の低い情報、つまり商品の品質、素材、サイズ等の必要最小限の在り来たりな情報を従来と同様に外面に印字し、購入者は、この内容から商品の購入を検討するのである。
又、前記接触面に透明のフィルムを永久接着し、フィルムの表面に疑似接着層を形成することによって、本体部に疑似接着剤の一部が染み込むことがなく、フィルム表面に均一に塗布することができ、接着不良等がないだけでなく、余分な接着剤が要るといったこともない。
【０００６】
前記外面に耐摩耗性を有する樹脂層を形成することによって、外面が他物と擦れることで外面に印字した文字やマーク等が掠れてしまうことを確実に防止することができる。
【０００７】
前記折り畳んで接着される本体部に所定間隔を置いて切り込みの複数を環状に形成し、前記接着を解除した後、隣り合う切り込みを連続させることにより該切り込みにより囲まれた内側部分を切り込みを挟んで外側に位置する外側部分から切り離し可能に構成している。
上記のように折り畳んで接着される本体部に所定間隔を置いて切り込みの複数を環状に形成しておくことによって、接着を解除した後、隣り合う切り込みを連続させることにより切り込みにより囲まれた内側部分を切り込みを挟んで外側に位置する外側部分から切り離すことができ、内側部分を販促用のカードとして利用することができるだけでなく、そのようなカードを店舗等に置いておくために必要となる保管場所が不要になる。
【０００８】
前記本体部の一部を切り離し可能な切り取り用ミシン目を該本体部に形成することによって、ハサミ等を用いなくても容易に切り離すことができ、その切り離した部分を割引券や割引カードとして利用することができる。
【００１０】
下げ部を、前記貫通孔と、この貫通孔と対象物とを連結するための糸等の連結部材とから構成している。
【００１１】
【発明の実施の形態】
図３に、例えば衣服１の特定のボタン２に長方形の下げ札３を吊り下げた状態を示している。前記下げ札３は、図１〜図３に示すように、前記ボタン２に下げるための下げ部４と、表裏両面に印字可能で、かつ、２つに折り畳まれた本体部５と、前記折り畳まれて対向位置する接触面５Ａ，５Ｂに感熱性接着剤等により永久接着された透明のフィルム６，６と、これらフィルム６，６それぞれの表面に形成された剥離可能で再接着不可能な疑似接着層８とから構成している。尚、図２では、図１で示したフィルム６，６、疑似接着層８等を省略して示している。又、前記本体部５の外面５Ｃに耐摩耗性を有する樹脂層９を形成して、外面５Ｃに印字した文字やマーク等が他物との擦れ合いにより掠れることがない利点があるが、前記樹脂層９は必ずしも必要ではない。本発明の下げ札２は、衣服１に下げる他、図８に示すように瓶１０に下げるようにしてもよく、どのような商品に下げてもよい。図８の場合には、前記下げ部４を瓶１０の上端１０Ａに差し込むことができる開口４Ａを備えた差込部を本体部５の上端に備えさせるようにしているが、他の構成でもよい。前記下げ札３を紙で構成することによって、コスト面及び折り曲げ加工面において有利であるが、樹脂等の他の材料で構成してもよい。
【００１２】
前記下げ部４は、図２及び図３に示すように、２つに折り曲げられた前記本体部５の一端に形成の貫通孔５Ｋと、この貫通孔５Ｋに挿通してから、前記衣服１に貫通して両端を結んで環状になった糸（連結部材）１１とから構成しているが、輪ゴムや樹脂等でなる輪状体又は紐状体あるいは図８のような本体部５の一端に一体化された差込部４等、どのような構成でもよい。
【００１３】
前記下げ札３は、前記フィルム６，６及び疑似接着層８を備えさせた一枚の長方形の紙をそれの長手方向中央部で折り曲げて２つに折り畳んだ後、前記貫通孔５Ｋを形成すると共に、折り畳まれた一方側の一端を切断し、その切断部１２を挟んで貫通孔Ｋ側部分５ａを本体部５と分離するようにしている。従って、分離された本体部５の上端５Ｔをつまんで下方に引っ張り操作することで接着された折り畳み部分を開く（剥がす）ことができるようにしている。前記部分５ａが無い下げ札３でもよい。
【００１４】
そして、前記本体部５の外面５Ｃに商品の品質、素材、サイズ等を印字し、接触面５Ａ，５Ｂのうちの一方又は両方に「当たり」という文字を印字して当たりくじとしても利用できる下げ札３としてもよいし、又、「２割引」等の文字を印字して割引券としても利用できる下げ札３としてもよく、下げ札３を販促ツールとして利用できるようにしている。従って、購入者は、本体部５の外面５Ｃに印字された商品の品質、素材、サイズ等を見て、商品の選定を行い、購入したい商品があると、その場で、又は商品を持ち帰ってから下げ札３を前述のように開いて確認することができる。
【００１５】
図２では、下げ札３を上開き式に構成したが、図４に示すように下開き式に構成してもよい。この場合、図に示す線１２から貫通孔Ｋ側部分５ａは、感熱性接着剤等により永久接着しておいてもよい。又、前記割引券として利用する場合には、図５（ａ），（ｂ）に示すように本体部５に切り取り用ミシン目５Ｍを形成して、前述のように開いた後、ミシン目５Ｍを介して接着面５Ｂに「２割引」が印字された部分５Ｅをカッター等を使用することなく、迅速に切り離して割引券５Ｅとして利用してもよい。尚、図では、１枚のみ切り離しできるようにしているが、２枚以上切り離しができるように構成して実施してもよい。
【００１６】
又、図６（ａ），（ｂ）に示すように、本体部５の表側に所定間隔を置いて切り込み１３Ｂの複数を長方形となる環状に形成してミシン目を構成して実施してもよい。従って、前述のように接着を解除するために開いた後、本体部５を持って切り込み１３Ｂで囲まれた内側部分１３ａを指で押し出すようにすることによって、隣り合う切り込み１３Ｂ，１３Ｂ間に存在する連結部１３Ａを切り離して、隣り合う切り込み１３Ｂ，１３Ｂを連続させ、切り込み１３Ｂ…の内側部分１３
ａを切り込みの外側部分１３ｂから切り離すことができるようにしている。そして、その内側部分１３ａをカード１３として利用することができる。前記連結部１３Ａにて内側部分１３ａを外側部分１３ｂに連結することによって、前述のように開いた時に、内側部分１３ａが容易に外れることがないストッパーとして作用するようにしている。図６（ａ）では、切り込み１３Ｂの多数（２４個）と連結部１３Ａの多数（２４個）からなるミシン目としたが、図６（ｃ）に示すように、連結部１３Ａを半分以下の１０個（数には特定されない）にすることによって、内側部分１３ａを切り離し易くできると共に切り離した後の内側部分１３ａ、つまりカード１３の外周部に切り離したときの連結部１３Ａの残片が少なくなり、見栄えもよくなるといった利点もある。
前記カード１３は、各種の特典を備えた会員カードの他、インターネットにアクセスするためのパスワード等が記入されたお楽しみカードや各種の割引カード等、どのようなカードであってもよい。尚、図６（ａ）では、本体５を２つに折り畳んだ片側のみにカード１３を備えさせるようにしたが、両側にカードを備えさせて実施してもよいし、又、３つに折り畳む場合には、全部の部分にカード（合計３枚のカード）を備えさせて実施してもよい。又、図に示した他の構成は、前述したものと同一構成であるため、同一符号を付すと共に説明を省略している。
【００１７】
又、前記本体部５を、図７（ａ），（ｂ）に示すように３つに折り畳んでもよいし、４つ以上に折り畳んでもよい。このように３つに折り畳む構成にすれば、印字できる面積を前記２つ折りの場合の２倍にすることができる。そして、図に示す２組の接触面５Ａ，５Ｂ、５Ｆ，５Ｇのうちの特定の接触面又は全部の接触面に前述のように印字し、それらを疑似接着層８，８により接着している。尚、図７（ａ）では、接着を解除した状態を示している。又、前述のようにカード１３を入れてもよい。又、図に示すように、本体部５の一端中央から突出させた延出部５Ｈに開口５Ｋを形成して、この開口５Ｋ及び前記糸１１等を利用して商品に下げることができるようにしている。
【００１８】
図９（ａ），（ｂ）に、図７（ａ），（ｂ）で示した畳み方とは異なる畳み方で前記本体部５を３つに折り畳んだ構成を示している。つまり、２つの折り部をいずれも同一方向（所謂内折り）に折って畳んでいる。図に示す他の構成は、前述したものと同一構成であるため、同一符号を付すと共に説明を省略している。又、図７（ａ），（ｂ）及び図９（ａ），（ｂ）では、開口５Ｋを本体５の左右幅よりも小さな左右幅を有する延出部５Ｈに形成したが、本体５を少し長く延ばし、その延ばした部分に開口５Ｋを形成してもよい。
【００１９】
【発明の効果】
請求項１によれば、当たりくじや割引券等を重要度の高い情報として折り畳まれて対向位置する接触面に印字し、それら接触面を疑似接着することによって、従来では不可能であると考えられていた販促ツールとして利用することができ、商品説明等を行えるものでありながら、購買意欲をも高めることができる下げ札として有用なものにすることができる。しかも、疑似接着であるから、一旦本体部を剥がしてしまうと、再接着が不可能になるため、剥がしたことがわかるようになっており、不正に見られることがない。又、剥がしてもべとつくようなことがなく、指に引っ付いて取れなくなるようなことがない。
【００２０】
請求項２によれば、外面に耐摩耗性を有する樹脂層を形成することによって、外面が他物と擦れることで外面に印字した文字やマーク等が掠れてしまうことを確実に防止することができ、長期間良好に使用することができる耐久面において有利になる。
【００２１】
請求項３によれば、前記隣り合う切り込みを連続させることによって切り込みの内側部分を切り込みの外側部分に対して切り離すことによって、内側部分を販促用のカードとして利用することができるだけでなく、そのようなカードを店舗等に置いておくために必要となる保管場所が不要になり、販売店において販促面及び保管スペース面のいずれにおいても有利になる。又、折り畳まれて接着された本体部を剥がした場合でも、内側部分（カード）が本体部から容易に外れることがなく、取り扱い面において有利になる。
【００２２】
請求項４によれば、本体部の一部を切り離し可能な切り取り用ミシン目を本体部に形成することによって、ハサミ等を用いなくても容易に切り離し、その切り離した部分を割引券や割引カードとして利用することができ、更に販促効果を高めることができる。
【図面の簡単な説明】
【図１】下げ札の要部断面図である。
【図２】下げ札の端部を剥がしている状態を示す斜視図である。
【図３】衣服に下げ札を下げた状態を示す正面図である。
【図４】別の下げ札を示し、端部を剥がしている状態を示す斜視図である。
【図５】別の下げ札を示し、（ａ）は、それの斜視図、（ｂ）は、一部を切り離した状態を示す斜視図である。
【図６】カードを備えさせた下げ札を示し、（ａ）は、それの正面図、（ｂ）は、それの断面図、（ｃ）は、異なる切り込みを示している下げ札の正面図である。
【図７】３つに折り畳んだ別の下げ札を示し、（ａ）は、２つの端部をそれぞれ剥がしている状態を示す斜視図、（ｂ）は、それの断面図である。
【図８】瓶に下げるように構成された下げ札を示す斜視図である。
【図９】異なる折り方にて３つに折り畳んだ別の下げ札を示し、（ａ）は、２つの端部をそれぞれ剥がしている状態を示す斜視図、（ｂ）は、それの断面図である。
【符号の説明】
１  衣服            ２  ボタン
３  下げ札          ４  下げ部
５  本体部          ５Ａ，５Ｂ    接触面
５Ｃ  外面            ５Ｅ  部分（割引券）
５Ｍ  ミシン目        ５Ｆ，５Ｇ    接触面
５Ｋ  開口            ５ａ  部分
５Ｔ  上端
６  フィルム          ８  疑似接着剤
９  樹脂層          １０  瓶
１０Ａ    上端
１１    糸              １２  線
１３カード          １３Ａ    連結部
１３Ｂ    切り込み          １３ａ  内側部分
１３ｂ    外側部分
【図１】
0003584851.tif 000002
【図２】
0003584851.tif 000003
【図３】
0003584851.tif 000004
【図４】
0003584851.tif 000005
【図５】
0003584851.tif 000006
【図６】
0003584851.tif 000007
【図７】
0003584851.tif 000008
【図８】
0003584851.tif 000009
【図９】
0003584851.tif 000010